(57)【特許請求の範囲】
【請求項１】
ガスコンロの五徳上に置かれた調理容器の有無を検知する調理容器検知装置において、
前記五徳上に置かれた前記調理容器の底部で押し込まれ、且つ上方に付勢されたロッドと、
前記ロッドの動きに連動して回動し、且つ転動物が転動する転動面が形成された回動部材と、
を備え、
前記転動面には、前記ロッドが押し込まれて前記回動部材が回動した状態で前記転動物が安定状態となる位置に、該転動物を検知する鍋有時検知スイッチが設けられている
ことを特徴とする調理容器検知装置。
【請求項２】
請求項１に記載の調理容器検知装置であって、
前記転動物は、導電性のある材質で形成されており、
前記鍋有時検知スイッチは、前記転動面上に離間して設けられた２つの電極が、前記転動物に接触して導通状態となることによって該転動物を検知するスイッチである
ことを特徴とする調理容器検知装置。
【請求項３】
請求項１に記載の調理容器検知装置であって、
前記鍋有時検知スイッチは、前記転動物の重量が加わると導通状態になる接点スイッチである
ことを特徴とする調理容器検知装置。
【請求項４】
請求項１ないし請求項３の何れか一項に記載の調理容器検知装置であって、
前記転動面には、前記五徳上に前記調理容器が置かれていない状態で前記転動物が安定状態となる位置に、該転動物を検知する鍋無時検知スイッチが設けられている
ことを特徴とする調理容器検知装置。
【発明の詳細な説明】
【技術分野】
【０００１】
本発明は、ガスコンロの五徳上に載置された鍋などの調理容器の有無を検知する調理容器検知装置に関する。
【背景技術】
【０００２】
ガスコンロの五徳上に載置された鍋などの調理容器の有無を検知する装置（調理容器検知装置）を備えたガスコンロが知られている（例えば特許文献１）。調理容器検知装置を備えたガスコンロでは、五徳上に調理容器が載置されていないことが検知されると、火力を絞ったり消火したりする制御が行われる。このため、五徳上に調理容器が載置されていない状態で、調理中に炎が手に当たったり、袖に着火したりすることがない。
【０００３】
また、地震などによる振動を検知する装置（振動検知装置）を備えたガスコンロも提案されている（特許文献２）。振動検知装置を備えたガスコンロでは、調理中に地震などが発生した場合でも、振動を検知して消火することができる。
【先行技術文献】
【特許文献】
【０００４】
【特許文献１】特開２００７−４６７９９号公報
【特許文献２】特開２００７−９３３６４号公報
【発明の概要】
【発明が解決しようとする課題】
【０００５】
しかし、五徳上の調理容器を検知する機能（調理容器検知機能）と振動を検知する機能（振動検知機能）とをガスコンロに搭載しようとすると、調理容器検知装置と振動検知装置とが必要となるため、ガスコンロが大型化してしまうという問題があった。
【０００６】
この発明は、従来の技術が有する上述した課題に対応してなされたものであり、ガスコンロを大型化させることなく、調理容器検知機能と振動検知機能とを搭載可能とする技術の提供を目的とする。
【課題を解決するための手段】
【０００７】
上述した課題を解決するために、本発明の調理容器検知装置は次の構成を採用した。すなわち、
ガスコンロの五徳上に置かれた調理容器の有無を検知する調理容器検知装置において、
前記五徳上に置かれた前記調理容器の底部で押し込まれ、且つ上方に付勢されたロッドと、
前記ロッドの動きに連動して回動し、且つ転動物が転動する転動面が形成された回動部材と、
を備え、
前記転動面には、前記ロッドが押し込まれて前記回動部材が回動した状態で前記転動物が安定状態となる位置に、該転動物を検知する鍋有時検知スイッチが設けられている
ことを特徴とする。
【０００８】
かかる本発明の調理容器検知装置においては、五徳上に調理容器が置かれると、調理容器の底部でロッドが押し込まれて回動部材が回動し、回動部材に設けられた転動面上を転動物が転動する。また、転動面には、ロッドが押し込まれた時に転動物が安定状態となる位置（すなわち、転動面の最も低い位置）に、転動物を検知する鍋有時検知スイッチが設けられている。このため、五徳上に調理容器が置かれると鍋有時検知スイッチで転動物が検知されるので、転動物が検知されるか否かによって、五徳上の調理容器の有無を検知することができる。また、五徳上に調理容器が置かれた状態でガスコンロに振動が加わると、転動面上の鍋有時検知スイッチから転動物が転動して転動物が検知されなくなるので、振動も検知することができる。このように、五徳上の調理容器を検知する機構を用いて振動も検知することができるので、ガスコンロを大型化させることなく、調理容器検知機能と振動検知機能とを搭載することが可能となる。尚、転動物は転動面上で転動可能な部材であれば良く、例えば球形状あるいは円柱形状の部材とすることができる。
【０００９】
また、上述した本発明の調理容器検知装置においては、転動物を導電性のある材質で形成し、更に、転動面上に２つの電極を離間して設けることによって鍋有時検知スイッチを実現しても良い。
【００１０】
こうすれば、転動面上を転動する転動物が２つの電極に接触すると電極間が導通状態となるので、転動物を検知することができる。その結果、簡単な構造で検知スイッチを実現することができるので、調理容器検知装置を容易に製造することが可能となる。
【００１１】
また、上述した本発明の調理容器検知装置においては、転動物の重量が加わると導通状態になる接点スイッチによって鍋有時検知スイッチを実現しても良い。
【００１２】
接点スイッチは安価で入手が容易であり、しかも接点スイッチ自体を密封構造としてやれば接触不良の問題も回避することができる。このため、製造が容易で信頼性の高い調理容器検知装置を実現することが可能となる。
【００１３】
また、上述した本発明の調理容器検知装置においては、五徳上に調理容器が置かれていない時に転動面上で転動物が安定状態となる位置に、転動物を検知する鍋無時検知スイッチを設けてもよい。
【００１４】
こうすれば、五徳上に調理容器が置かれていない状態でも、鍋無時検知スイッチによって転動物が検知されており、その状態で振動が加わると転動物が転動して鍋無時検知スイッチで検知されなくなる。従って、五徳上に調理容器が置かれていない状態でも、振動が加わったことを検知することが可能となる。
【図面の簡単な説明】
【００１５】
【図１】本実施例の調理容器検知装置１００を搭載したガスコンロ１の構造を示す断面図である。
【図２】本実施例の調理容器検知装置１００の一部を拡大した斜視図である。
【図３】本実施例の調理容器検知装置１００の動作を示す説明図である。
【図４】第１変形例の調理容器検知装置２００の一部を拡大した斜視図である。
【図５】第２変形例の調理容器検知装置３００の構造を示す断面図である。
【図６】第３変形例の調理容器検知装置４００の一部を拡大した斜視図である。
【図７】第３変形例の調理容器検知装置４００が振動を検知する動作を説明するための説明図である。
【発明を実施するための形態】
【００１６】
図１は、本実施例の調理容器検知装置１００を搭載したガスコンロ１の構造を示す断面図である。ガスコンロ１は、コンロ本体（図示せず）の上面を覆って設けられ且つバーナー用開口４が形成された天板２と、バーナー用開口４に臨んで設けられて燃料ガスを燃焼させることによって調理容器を加熱するコンロバーナー１０と、鍋などの調理容器が置かれる五徳２０と、五徳２０上に置かれた調理容器の有無を検知するための調理容器検知装置１００などを備えている。
【００１７】
コンロバーナー１０は、燃料ガスと空気とが混合される混合管１１と、混合管１１に連なる環状のバーナーボディ１２と、バーナーボディ１２の上に載置された環状のバーナーキャップ１３などを備えている。バーナーキャップ１３の外周部の下面側には複数の歯形が形成されている。また、バーナーボディ１２は板金製の外筒１２ａと、同じく板金製の内筒１２ｂとを有しており、外筒１２ａには、バーナーキャップ１３の歯形が着座して複数の炎孔１３ｆが形成される着座部１２ｃと、着座部１２ｃから外方に向けて斜め下方に張り出した煮こぼれカバー部１２ｄとが形成されている。更にカバー部１２ｄには、バーナー用開口４内に落下する煮こぼれ汁を受ける環状の汁受け皿１４が、着脱自在に取り付けられている。また、天板２に開設されたバーナー用開口４と、汁受け皿１４との間の隙間は、上方から五徳枠２２で覆われており、五徳枠２２には五徳２０が取り付けられている。
【００１８】
本実施例の調理容器検知装置１００は、環状のバーナーキャップ１３の内側の空間（キャップ内空間１３ｈ）と、環状のバーナーボディ１２の内側の空間（ボディ内空間１２ｈ）とを上下方向に貫通するような状態で、コンロバーナー１０のほぼ中心位置に搭載されている。調理容器検知装置１００には、キャップ内空間１３ｈおよびボディ内空間１２ｈを上下に貫通して設けられたロッド１０２と、ロッド１０２を上方に向けて付勢するコイルバネ１０４と、コンロバーナー１０を支える支持板１６に取り付けられたベース１０６と、ベース１０６に形成された長穴１０６ｈによって軸支されたアーム１０８と、アーム１０８に取り付けられて内部に転動物１１２を収容したケース状のホルダー１１０などが設けられている。ロッド１０２の上端には、五徳２０上に置かれた調理容器の底部に接触してその温度を検出する感熱ヘッド１１４が取り付けられている。五徳２０上に調理容器が置かれてない場合は、ロッド１０２がコイルバネ１０４によって上方に付勢される結果、感熱ヘッド１１４が五徳２０よりも上方に突出した状態となっている。
【００１９】
図２（ａ）は、調理容器検知装置１００のベース１０６や、アーム１０８、ホルダー１１０の部分を拡大して示した斜視図である。ベース１０６は、板金を略コの字型形状に折り曲げて形成されており、コの字型の内側の部分にロッド１０２が挿通される。ベース１０６の上面側の一部は外側に折り曲げられて、ベース１０６をコンロバーナー１０の支持板１６（図１参照）に取り付けるためのブラケット部１０６ｂが形成されている。また、ロッド１０２が挿通される部分のベース１０６は、上端が両側から内側に折り曲げられて、図１に示したコイルバネ１０４を受けるためのバネ受け部１０６ｐが形成されている。更に、ベース１０６の両側面には長穴１０６ｈが形成されている。
【００２０】
アーム１０８は、略扇形に形成された板金部品であり、扇の要に相当する位置には金属製のシャフト１０８ｓが立設されている。シャフト１０８ｓはアーム１０８の裏面にも貫通して突設されており、シャフト１０８ｓの両端は、ベース１０６の両側面に形成された長穴１０６ｈに挿通されている。このためアーム１０８は、ベース１０６に対して回動可能な状態で取り付けられている。また、アーム１０８が回動した時に、シャフト１０８ｓの軸方向にアーム１０８が移動するとシャフト１０８ｓが長穴１０６ｈから外れてしまうので、これを避けると同時にアーム１０８を位置決めする目的で、シャフト１０８ｓには円筒状のカラー１０８ｃが装着されている。更に、アーム１０８は、ロッド１０２の下端側に挿通されたピン１０２ｔによって、ロッド１０２と回転可能に接続されている。このため、ロッド１０２が上下動する動きに伴って、アーム１０８はシャフト１０８ｓを中心に回動する。本実施例では、アーム１０８およびホルダー１１０が、本発明における「回動部材」に対応する。
【００２１】
尚、図１に示したように、ロッド１０２はコイルバネ１０４によって上方に付勢されているが、ロッド１０２の側面に設けられた凸部１０２ｓがベース１０６の下面に当接するので、それ以上にロッド１０２が上昇することはない。また、五徳２０上に調理容器が置かれると、調理容器の底部に感熱ヘッド１１４が押されてロッド１０２が下降するが、感熱ヘッド１１４が五徳２０の位置よりも大きく下方に押し込まれることはない。このようにロッド１０２は一定範囲内で上下動し、これに伴ってアーム１０８も一定の角度範囲内で回動する。図２（ａ）は、ロッド１０２が上がった状態（五徳２０上に調理容器が置かれていない状態）に対応する。
【００２２】
アーム１０８の下部には、耐熱樹脂材料で形成されたホルダー１１０が取り付けられている。ホルダー１１０内には転動通路１１０ｃが形成されており、転動通路１１０ｃ内には導電性のある金属材料でできた球形状の転動物１１２が収容されている。また、転動通路１１０ｃの底面（すなわち、転動物１１２が転動する転動面１１０ｒ）は円弧状の曲面形状に形成されており、円弧のほぼ中央位置には、２本の電極１２０ａ，１２０ｂが転動面１１０ｒに埋設されている。後述するように、この２本の電極１２０ａ，１２０ｂは、転動物１１２を検知する検知スイッチ１２０を構成する。
【００２３】
図２（ｂ）には、電極１２０ａ，１２０ｂが埋設された位置で、転動通路１１０ｃと直角方向に取ったホルダー１１０の断面図が示されている。図示されるように、２本の電極１２０ａ，１２０ｂの間の転動面１１０ｒは、電極１２０ａ，１２０ｂの外側の転動面１１０ｒよりも低く形成されている。また、図中の破線は、転動面１１０ｒを転動する転動物１１２が電極１２０ａ，１２０ｂの位置にある状態を表している。上述したように転動物１１２は導電性のある金属材料で形成されているので、転動物１１２が電極１２０ａ，１２０ｂの位置に来ると、電極１２０ａと電極１２０ｂとが電気的に導通した状態となる。従って、２本の電極１２０ａ，１２０ｂは、転動物１１２によってＯＮとなる検知スイッチ１２０として機能する。本実施例では、検知スイッチ１２０が本発明における「鍋有時検知スイッチ」に対応する。
【００２４】
図３は、本実施例の調理容器検知装置１００が五徳２０上の調理容器の有無を検知する動作を示した説明図である。図３（ａ）は五徳２０上に調理容器が置かれていない状態を示しており、図３（ｂ）は調理容器５が置かれた状態を示している。尚、図３では、図示が煩雑となることを避けるために、調理容器検知装置１００を太い実線で表示し、それ以外は細い実線で表示している。
【００２５】
図３（ａ）に示されるように、五徳２０上に調理容器５が置かれていない状態では、コイルバネ１０４によってロッド１０２が上方に付勢され、ロッド１０２の上端に取り付けられた感熱ヘッド１１４が、五徳２０よりも上方に突出した状態となっている。尚、この時のロッド１０２の位置は、ロッド１０２の凸部１０２ｓがベース１０６に当接することによって規定されている。また、ロッド１０２の下端側はピン１０２ｔによってアーム１０８に接続されているので、ロッド１０２がコイルバネ１０４によって上方に押し上げられるとともにアーム１０８も回動する。その結果、ホルダー１１０内では、転動物１１２が転動面１１０ｒ上を転動して検知スイッチ１２０から外れた位置に来る。この状態では検知スイッチ１２０はＯＦＦとなっている。
【００２６】
五徳２０上に調理容器５が置かれると、調理容器５の底部で感熱ヘッド１１４が押し下げられる。その結果、図３（ｂ）に示すように、ロッド１０２が下方に移動し、それに伴ってアーム１０８が回動して、ホルダー１１０内の転動物１１２が転動面１１０ｒ上を転動する。ここで、検知スイッチ１２０（本実施例では、電極１２０ａ，１２０ｂ）は、五徳２０上に調理容器５が置かれてアーム１０８が回動した時に転動面１１０ｒが最も低くなる位置に設けられている。このため、転動面１１０ｒ上を転動する転動物１１２は、検知スイッチ１２０が設けられた位置で安定した状態となり、検知スイッチ１２０は転動物１１２によってＯＮになる。従って、本実施例の調理容器検知装置１００は、検知スイッチ１２０がＯＮになることを検出することで、五徳２０上に調理容器５が置かれたことを検知することができる。
【００２７】
また、図３（ｂ）に示すように、調理容器５が置かれた状態で地震などが発生してガスコンロ１に振動が加わると、転動物１１２が転動して検知スイッチ１２０がＯＦＦになる。そして、転動物１１２が転動面１１０ｒ上を転動しながら往復するので、検知スイッチ１２０が一定周期でＯＮ／ＯＦＦを繰り返す。従って、検知スイッチ１２０がＯＦＦになったこと、あるいは検知スイッチ１２０のＯＮ／ＯＦＦが一定周期で切り換わったことを検出することによって、ガスコンロ１に振動が加わったことを検知することができる。加えて、転動物１１２が転動面１１０ｒ上を往復動する周期は、転動物１１２の質量と地球の重力加速度とによって決まる固有の周期となる。従って、この固有の周期（あるいはそれに近い周期）で検知スイッチ１２０のＯＮ／ＯＦＦが切り換わったことを検出してやれば、たとえガスコンロ１の操作者が五徳２０上に調理容器５を置いたり外したりする動作を繰り返した場合でも、ガスコンロ１に振動が加わったものと誤検知することがない。
【００２８】
以上のように本実施例の調理容器検知装置１００では、五徳２０上に置かれた調理容器５の有無を検知するだけでなく、調理容器５が置かれた状態では、地震などによってガスコンロ１に振動が加わったことも検知することができる。このため、ガスコンロ１を大型化することなく、五徳２０上の調理容器５を検知する機能（調理容器検知機能）と、ガスコンロ１に振動が加わったことを検知する機能（振動検知機能）とを搭載することが可能となる。
【００２９】
また、本実施例の調理容器検知装置１００は、調理容器検知機能および振動検知機能の２つの機能を有しているにも拘わらず構造が簡単であることから、製造が容易で、尚且つ小型化することもできる。加えて、ロッド１０２や、コイルバネ１０４、ベース１０６、アーム１０８などの主要部品が金属材料で形成されており、ホルダー１１０も耐熱樹脂で形成されているので、コンロバーナー１０からの熱の影響を受けることなく、安定して動作させることができる。更に加えて、ホルダー１１０はケース状に形成されており、転動面１１０ｒや、検知スイッチ１２０、転動物１１２はホルダー１１０の内部に設けられている。このため、煮こぼれ汁や、ゴミ、埃などがホルダー１１０の内部に侵入して転動物１１２の転動が妨げられたり、検知スイッチ１２０での接触不良が生じたりすることがない。その結果、本実施例の調理容器検知装置１００は簡単な構造であるにも拘わらず、信頼性に優れた調理容器検知機能および振動検知機能を同時に実現することが可能となる。
【００３０】
上述した本実施例の調理容器検知装置１００には種々の変形例が存在する。以下ではこれら変形例について、本実施例の調理容器検知装置１００との相違点を中心として簡単に説明する。
【００３１】
上述した実施例の調理容器検知装置１００では、転動物１１２が球形であるものとして説明した。しかし、転動物１１２は転動面１１０ｒ上で転動できれば十分であり、例えば円柱形状とすることもできる。また、上述した実施例の調理容器検知装置１００では、転動物１１２が導電性を有する材料で形成されており、転動物１１２が２本の電極１２０ａ，１２０ｂの位置まで移動すると電極１２０ａと電極１２０ｂとが電気的に導通した状態となることによって、検知スイッチ１２０がＯＮになるものとして説明した。しかし、転動物１１２によって検知スイッチ１２０をＯＮにすることができるのであれば、必ずしも転動物１１２を導電性の材料で形成し、且つ検知スイッチ１２０を電極１２０ａ，１２０ｂによって構成する必要はない。例えば、検知スイッチ１２０を接点スイッチによって構成し、転動物１１２が検知スイッチ１２０の位置まで転動してくると、転動物１１２の重さで押されて接点スイッチがＯＮになるようにしても良い。こうすれば、接点スイッチ自体を樹脂などで覆って密封構造とすることもできるので、接触不良が発生することを回避することができる。また、検知スイッチ１２０に接点スイッチを用いるのであれば、転動物１１２を導電性の材料で形成する必要はない。このため、転動物１１２の表面を耐候性に優れた樹脂で覆うなどすれば、錆などによって転動物１１２が転動しにくくなる事態も回避することができる。
【００３２】
図４には、このような第１変形例の調理容器検知装置２００の一部が拡大して例示されている。すなわち、図示した第１変形例の調理容器検知装置２００では、円柱形状に形成された転動物２１２が転動面１１０ｒ上を転動し、且つ転動面１１０ｒには、転動物２１２の重さによってＯＮになる接点スイッチが、検知スイッチ２２０として埋設されている。このような第１変形例の調理容器検知装置２００によっても、検知スイッチ２２０のＯＮ／ＯＦＦを検出することによって、調理容器５が置かれたことや、ガスコンロ１に振動が加わったことを検知することができる。
【００３３】
また、上述した実施例では、ホルダー１１０内の転動面１１０ｒには、調理容器５が置かれた時（ロッド１０２が押し下げられた時）に最も低い位置となる箇所にだけ、検知スイッチ１２０が設けられているものとして説明した。しかし、調理容器５が五徳２０上から外された時（ロッド１０２が押し上げられた時）に最も低い位置となる箇所にも、検知スイッチを設けても良い。
【００３４】
図５には、このような第２変形例の調理容器検知装置３００が例示されている。尚、図５では、図２に示した調理容器検知装置１００との相違点についてのみ表示している。図示されるように第２変形例の調理容器検知装置３００では、転動面１１０ｒ上の２つの箇所に検知スイッチ３２０，３２２が埋設されている。尚、これら検知スイッチ３２０，３２２は、図２のような２本の電極１２０ａ，１２０ｂを併設した検知スイッチとすることもできるし、図４のような接点スイッチとすることもできる。そして、これら２つの検知スイッチ３２０，３２２のうちの一方の検知スイッチ３２０は、五徳２０上に調理容器５が置かれた時に転動面１１０ｒが最も低くなる箇所に埋設されている。また、他方の検知スイッチ３２２は、調理容器５が五徳２０上から外された時に転動面１１０ｒが最も低くなる箇所に埋設されている。このため、五徳２０上に調理容器５が置かれると、転動面１１０ｒを転動する転動物３１２によって検知スイッチ３２０がＯＮとなり、五徳２０上から調理容器５が外されると、転動物３１２によって検知スイッチ３２２がＯＮとなる。尚、転動物３１２は、図２の転動物１１２のような球形状としてもよいし、図４の転動物２１２のように円柱形状としてもよい。また、第２変形例の調理容器検知装置３００では、検知スイッチ３２０が本発明における「鍋有時検知スイッチ」に対応し、検知スイッチ３２２が本発明における「鍋無時検知スイッチ」に対応する。
【００３５】
このような第２変形例の調理容器検知装置３００では、五徳２０上の調理容器５の有無に拘わらず、検知スイッチ３２０または検知スイッチ３２２の何れかが必ずＯＮとなる。従って、何れもＯＦＦになるようであれば（瞬間的にＯＦＦになる場合を除いて）、何れかの検知スイッチ３２０，３２２が故障しているものと判断できる。このように第２変形例の調理容器検知装置３００では、ガスコンロ１を大型化することなく、検知スイッチ３２０，３２２の故障を検知する機能も搭載することができる。
【００３６】
加えて、第２変形例の調理容器検知装置３００では、五徳２０上に調理容器５が置かれていない状態でも検知スイッチ３２２がＯＮとなっているので、ガスコンロ１に振動が加わると検知スイッチ３２２が一定周期でＯＮ／ＯＦＦを繰り返すようになる。このため、調理容器５が置かれていない場合でもガスコンロ１に振動が加わったことを検知することができる。
【００３７】
更に、第２変形例の調理容器検知装置３００には、次のような利点も存在する。すなわち、上述したように第２変形例の調理容器検知装置３００は、五徳２０上に置かれた調理容器５の有無に拘わらず振動を検知することができるが、転動物３１２の転動方向に直角方向の振動は、単独では検知することができない。そこで、ガスコンロ１の少なくとも２つのコンロバーナー１０に第２変形例の調理容器検知装置３００を搭載し、各々の調理容器検知装置３００での転動物３１２の転動方向が異なるように（できれば、２つの調理容器検知装置３００間では転動物３１２の転動方向が直交するように）しておく。こうすれば、第２変形例の調理容器検知装置３００を搭載したコンロバーナー１０の五徳２０上に調理容器５が置かれているか否かに拘わらず、どのような方向の振動であっても、必ず何れかの調理容器検知装置３００で振動を検知することが可能となる。
【００３８】
また、上述した実施例の調理容器検知装置１００は、転動物１１２が転動通路１１０ｃに沿って転動することによって転動通路１１０ｃの方向の振動を検知するものとして説明した。しかし、以下のようにすれば全方向の振動を検知することも可能である。
【００３９】
図６は、全方向の振動を検知可能とした第３変形例の調理容器検知装置４００の一部を拡大して示した斜視図である。尚、図６では、五徳２０上に調理容器５が置かれていない状態（ロッド１０２が押し上げられた状態）を示している。図示されるように、第３変形例の調理容器検知装置４００では、ホルダー４１０内の転動通路４１０ｃが途中で拡幅されており、拡幅された部分では転動面４１０ｒが円形に形成されている。また、転動通路４１０ｃが拡幅されている箇所（転動面４１０ｒが円形になっている箇所）は、五徳２０上に調理容器５が置かれてロッド１０２が下方に押し下げられた時に、転動面４１０ｒが最も低くなる箇所である。更に、転動面４１０ｒが円形に形成された部分の中央には、円環を半割りにした形状の電極４２０ａ，４２０ｂが、互いに向かい合わせた状態で埋設されており、電極４２０ａ，４２０ｂの周囲では転動面４１０ｒが円環状に形成されている。第３変形例では、これらの電極４２０ａ，４２０ｂが検知スイッチ４２０となる。また、転動面４１０ｒの円環状に形成された部分は、外側に行くに従って少しずつ高く（従って、電極４２０ａ，４２０ｂの部分が最も低く）なっている。加えて、電極４２０ａ，４２０ｂの上面側は周囲の転動面４１０ｒとほぼ面位置となっているが、２つの電極４２０ａ，４２０ｂの中央に位置する部分の転動面４１０ｓは、電極４２０ａ，４２０ｂの上面側よりも低く形成されている。
【００４０】
このような第３変形例の調理容器検知装置４００では、五徳２０上に調理容器５が置かれると、ロッド１０２が押し下げられてアーム４０８およびホルダー４１０が回動し、その結果、転動物１１２が転動面４１０ｒ上を転動して、２つの電極４２０ａ，４２０ｂを跨いだ状態で落ち着く（安定状態となる）。
【００４１】
図７には、五徳２０上に調理容器５が置かれた状態（ロッド１０２が押し下げられた状態）が示されている。前述したように転動物１１２は導電性のある金属材料で形成されているので、２つの電極４２０ａ，４２０ｂが転動物１１２を介して導通状態となって、検知スイッチ４２０がＯＮとなる。また、第３変形例の調理容器検知装置４００では、検知スイッチ４２０の周囲に円環状の転動面４１０ｒが形成されている。このため、どのような方向の振動が加わった場合でも、転動物１１２が振動の方向に振動して検知スイッチ４２０がＯＮ／ＯＦＦを繰り返す。その結果、第３変形例の調理容器検知装置４００では、ガスコンロ１に加わる振動の方向によらずに、振動を検知することが可能となる。
【００４２】
以上、本実施例および各種変形例の調理容器検知装置１００，２００，３００，４００について説明したが、本発明は上記の実施例に限られるものではなく、その要旨を逸脱しない範囲において種々の態様で実施することが可能である。
【符号の説明】
【００４３】
１…ガスコンロ、            ２…天板、                ４…バーナー用開口、
５…調理容器、              １０…コンロバーナー、    １１…混合管、
１２…バーナーボディ、      １３…バーナーキャップ、  １４…汁受け皿、
１６…支持板、              ２０…五徳、              ２２…五徳枠、
１００…調理容器検知装置、  １０２…ロッド、          １０４…コイルバネ、
１０６…ベース、            １０８…アーム、          １１０…ホルダー、
１１０ｃ…転動通路、        １１０ｒ…転動面、        １１２…転動物、
１１４…感熱ヘッド、        １２０…検知スイッチ、    １２０ａ，ｂ…電極、
２００…調理容器検知装置、  ２１２…転動物、          ２２０…検知スイッチ、
３００…調理容器検知装置、  ３１２…転動物、          ３２０…検知スイッチ、
３２２…検知スイッチ、      ４００…調理容器検知装置、    ４０８…アーム、
４１０…ホルダー、          ４１０ｃ…転動通路、          ４１０ｒ…転動面、
４２０…検知スイッチ、      ４２０ａ，ｂ…電極
【図１】
0005507589.tif 000002
【図２】
0005507589.tif 000003
【図３】
0005507589.tif 000004
【図４】
0005507589.tif 000005
【図５】
0005507589.tif 000006
【図６】
0005507589.tif 000007
【図７】
0005507589.tif 000008